(57)【特許請求の範囲】
【請求項１】
画像信号を出力する情報処理部と、
画像信号及び該画像信号に対応するデータを予め格納することが可能なデータ格納部と、
前記データを送信する送信先を予め格納することが可能な送信先格納部と、
前記情報処理部により出力された第１画像信号と、前記データ格納部に格納された第２画像信号とを比較する画像比較部と、
前記画像比較部により前記第１及び第２画像信号が一致すると判定されたとき、前記第２画像信号に対応するデータを前記送信格納部に格納された前記送信先に送信する送信部と、
前記送信先より送信されたデータを受信する受信部と、
を有することを特徴とする情報処理装置。
【請求項２】
請求項１において、前記第２画像信号がユーザーへの所定項目の入力要求を視認可能に表示するための信号であり、
前記送信先に送信されるデータが前記所定項目を示すものであることを特徴とする情報処理装置。
【請求項３】
請求項２において、さらに前記送信先から送信されたデータをキーコード変換するキーコード変換部を有することを特徴とする情報処理装置。
【請求項４】
請求項２または３において、前記送信先より送信されたデータが前記情報処理部に入力されることを特徴とする情報処理装置。
【請求項５】
情報処理手段により出力された第１画像信号と、ユーザーへの所定項目の入力要求を視認可能に表示するための信号であってデータ格納部に格納された第２画像信号とを比較する画像比較ステップと、
前記画像比較ステップにより前記第１及び第２画像信号が一致すると判定されたとき、前記第２画像信号に対応し、前記所定項目を示すデータを、所定の送信先に送信する送信ステップと、
前記送信先より送信されたデータを受信する受信ステップと、
を有することを特徴とする画像比較方法。
【請求項６】
情報処理装置の設定方法において、
設定動作中に画像信号を出力する情報処理手段により出力された第１画像信号と、ユーザーへの所定項目の入力要求を視認可能に表示するための信号であってデータ格納部に格納された第２画像信号とを比較する画像比較ステップと、
前記画像比較ステップにより前記第１及び第２画像信号が一致すると判定されたとき、前記第２画像信号に対応し、前記所定項目を示すデータを、所定の移動通信体に送信する送信ステップと、
前記移動通信体より送信されたデータを受信する受信ステップと、
前記受信ステップで受信したデータを、前記所定項目に対応する情報として前記情報処理手段に入力する入力ステップと、を有することを特徴とする情報処理装置の設定方法。
【発明の詳細な説明】
【技術分野】
【０００１】
本発明は、情報処理装置の設定に関し、情報処理装置を直接操作しなくても設定作業が可能な情報処理装置の設定方法である。
【背景技術】
【０００２】
従来、情報処理装置の初期設定を行う場合には、プロダクトキーや各種設定の入力を要求する入力画面が、情報処理装置に接続された表示装置に予め決められたタイミングで表示された。すると、ユーザーは情報処理装置に接続された入力装置を介して、情報処理装置に入力画面の入力項目に応じた情報を入力した。
【０００３】
入力画面の表示タイミングをユーザーが知ることはできない。したがって、ユーザーは表示装置を常に監視する必要があり、初期設定作業を行っている間に情報処理装置の前から長時間離れることができず、行動が著しく制限されるという問題があった。
【先行技術文献】
【特許文献】
【０００４】
【特許文献１】特開平０１−１６３８６６公報
【発明の概要】
【発明が解決しようとする課題】
【０００５】
本発明は、情報処理装置の設定を行う際に、ユーザーが情報処理装置の前にいなくても設定に必要な入力項目の入力が可能な情報処理装置を提供する。
【課題を解決するための手段】
【０００７】
本発明の情報処理装置は、画像信号を出力する情報処理部と、画像信号及び該画像信号に対応するデータを予め格納することが可能なデータ格納部と、前記データを送信する送信先を予め格納することが可能な送信先格納部と、前記情報処理部により出力された第１画像信号と、前記データ格納部に格納された第２画像信号とを比較する画像比較部と、前記画像比較部により前記第１及び第２画像信号が一致すると判定されたとき、前記第２画像信号に対応するデータを前記送信格納部に格納された前記送信先に送信する送信部と、前記送信先より送信されたデータを受信する受信部と、を有することを特徴とする。
【０００８】
また、本発明の情報処理装置は、前記第２画像信号がユーザーへの所定項目の入力要求を視認可能に表示するための信号であり、前記送信先に送信されるデータが前記所定項目を示すものであることを特徴とする。
【０００９】
また、本発明の情報処理装置は、さらに前記送信先から送信されたデータをキーコード変換するキーコード変換部を有することを特徴とする。
【００１０】
また、本発明の情報処理装置は、前記送信先より送信されたデータが前記情報処理部に入力されることを特徴とする。
【００１１】
本発明の画像比較方法は、情報処理手段により出力された第１画像信号と、ユーザーへの所定項目の入力要求を視認可能に表示するための信号であってデータ格納部に格納された第２画像信号とを比較する画像比較ステップと、前記画像比較ステップにより前記第１及び第２画像信号が一致すると判定されたとき、前記第２画像信号に対応し、前記所定項目を示すデータを、所定の送信先に送信する送信ステップと、前記送信先より送信されたデータを受信する受信ステップと、を有することを特徴とする。
【００１２】
本発明の情報処理装置の設定方法は、情報処理装置の設定方法において、設定動作中に画像信号を出力する情報処理手段により出力された第１画像信号と、ユーザーへの所定項目の入力要求を視認可能に表示するための信号であってデータ格納部に格納された第２画像信号とを比較する画像比較ステップと、前記画像比較ステップにより前記第１及び第２画像信号が一致すると判定されたとき、前記第２画像信号に対応し、前記所定項目を示すデータを、所定の移動通信体に送信する送信ステップと、前記移動通信体より送信されたデータを受信する受信ステップと、前記受信ステップで受信したデータを、前記所定項目に対応する情報として前記情報処理手段に入力する入力ステップと、を有することを特徴とする。
【発明の効果】
【００１３】
本発明によれば、情報処理装置の設定作業において、移動通信体から設定に必要な入力項目を入力することができる。したがって、ユーザーは任意の場所で設定作業を行うことが可能である。
【図面の簡単な説明】
【００１４】
【図１】本実施形態を構成する情報処理装置、及び移動通信端末の機能ブロックを示す図である。
【図２】本実施形態の設定部の動作を示す図である。
【発明を実施するための形態】
【００１５】
以下、図面を参照して本発明を実施するための形態について詳細に説明する。図１は、本実施形態を構成する情報処理装置、及び移動通信端末の機能ブロックを示す図である。情報処理装置１は、情報処理部１１、表示部１２、入力部１３、設定部１４を有する。
【００１６】
情報処理部１１は、具体的には、図示しないプロセッサ、メモリ、ハードディスクドライブなどの不揮発メモリなどによって構成されるコンピュータである。表示部１２は、情報処理部１１の図示しないプロセッサによって出力された画像信号を表示するものである。入力部１３は、ユーザーの操作を図示しないプロセッサに伝えるユーザーインタフェースであり、例えば、マウス、キーボードなどである。なお、表示部１２、及び入力部１３は、情報処理部１１と一体型であってもよいし、別体であって入出力端子等を介して情報処理部１１と接続されていてもよい。
【００１７】
設定部１４は、画面取得部１１２、サンプル画面格納部１１３、画面比較部１１４、送信先格納部１１５、送信部１１６、受信部１１７、キーコード変換部１１８を有する。
【００１８】
画面取得部１１２は、情報処理部１１が表示部１２に出力する画像信号を取得する。
【００１９】
サンプル画面格納部１１３は、画像信号及び、当該画像信号に対応するテキストデータが予め格納されている。予め格納された画像信号とは、例えば、表示部１２に表示される設定画面のうち、ユーザーが何らかの情報を入力しなければならない入力画面である。また、画像信号に対応づけられたテキストデータは、例えば、当該入力画面に表示された文字列のうち、ユーザーが入力を要求される入力項目である。入力項目は、例えばプロダクトキー、ユーザー名やメールアドレス等のユーザー情報、各種プログラムの設定値などである。
【００２０】
画面比較部１１４は、サンプル画面格納部１１３に格納された画像信号と、画面取得部１１２により取得された画像信号とを比較する。
【００２１】
送信先格納部１１５には、移動通信端末２の送信先が予め格納されている。格納方法は、Ｗｅｂサイトからユーザーが自身の移動通信端末２のメールアドレスを入力する、又は移動通信端末２から特定のメールアドレスにメールを送信し、不図示のサーバーが当該メールアドレスを受信部１１７に送信し、受信部１１７から送信先格納部１１５にメールアドレスを格納するなど、公知の技術を用いることが可能である。
【００２２】
送信部１１６は、送信先格納部１１５に格納された送信先に対し、サンプル画面格納部１１３に格納されたテキストデータを送信する。送信方法はインターネットメール、赤外線通信、Ｂｌｕｅｔｏｏｔｈ（登録商標）など、公知の技術を用いることが可能である。
【００２３】
受信部１１７は、移動通信端末２や任意のメールサーバー等より送信されたデータを受信することができる。受信方法は、送信部１１６の送信方法と同様に、インターネットメール、赤外線通信、Ｂｌｕｅｔｏｏｔｈ（登録商標）などである。
【００２４】
キーコード変換部１１８は、受信部１１７によって受信されたキーデータを、入力部１３のキーコード生成体系に基づくキーデータに変換する。
【００２５】
移動通信体２は、送信部１１６から送信されるテキストデータを受信する。また、移動通信体２における図示しない入力部より入力されたキーデータを受信部１１７に送信することができる。移動通信体は、例えば、携帯電話、ＰＤＡなど持ち運び可能で通信機能を有する電子機器である。
【００２６】
続いて、図２を参照して、本実施形態の設定部１４の動作について説明する。本実施形態では、ユーザーが購入直後の情報処理装置を初期設定する場合について考える。また、本実施形態ではユーザーが入力を必要とする入力画面は複数あるものとする。ユーザーが情報処理装置１の電源を入れると、初期設定が開始される。画面取得部１１２は、表示部１２に表示される画像信号を取得する（Ｓ１２）。
【００２７】
次に、サンプル画像格納部１１３に格納された複数の画像信号と、画像取得部１１２により取得された画像信号とを比較する（Ｓ１３）。サンプル画像格納部に格納された画像信号のうち、画像取得部１１２により取得された画像信号と一致するものがなかった場合、初期設定が完了したかどうかを確認する（Ｓ１１）。サンプル格納部１１３に格納された複数の画像信号のうち一つと、画面取得部１１２により取得された画像信号とが一致していた場合、当該画像信号に対応するテキストデータを、送信先格納部１１５に格納された送信先に送信する（Ｓ１４）。
【００２８】
ユーザーは、移動通信体２に送信されたテキストデータを確認し、テキストデータが示す入力項目を確認する。そして、移動通信体２より当該入力項目に対応する情報を入力して送信する。
【００２９】
移動通信体２より送信されたキーデータは受信部１１７により受信される（Ｓ１５）。入力部１３で用いられるキーコード生成体系と、受信したキーデータのキーコード生成体系とが異なっていた場合、キーコード変換部１１８により、受信したキーデータを入力部１３で用いられるキーコード生成体系に変換する（Ｓ１６）。変換後のキーデータは情報処理部１１に伝達され、情報処理部１１は、当該入力項目に対応する情報が得られる（Ｓ１７）。
【００３０】
その後、初期設定が完了したかどうかを再度確認し、初期設定が完了した場合には、設定部１４の処理を終了する。
【００３１】
本実施形態では、情報処理装置の初期設定作業において、ユーザーが指定した移動通信体から設定に必要な入力項目を入力することができる。したがって、ユーザーは任意の場所で初期設定作業を行うことが可能である。
【００３２】
なお、本実施形態は情報処理装置を初期設定する場合を例に説明したが、これに限らず情報処理装置に新しいアプリケーションプログラムをインストールする場合など、他の場面にも適用可能である。
【符号の説明】
【００３３】
１  情報処理装置
２  移動通信体
１１  情報処理部
１２  表示部
１３  入力部
１４  設定部
【図１】
0005599995.tif 000002
【図２】
0005599995.tif 000003